(57)【要約】【課題】本発明の課題は、麻雀卓の上に横一列に配列された牌群を照明することで、遊技者の眼球疲労を軽減する照明装置を備えた麻雀台を提供することである。【解決手段】本発明は、麻雀卓１と当該麻雀卓１の四周縁上に固着された卓枠体２とを有する麻雀台であって、上記卓枠体２の内部に、白色発光ダイオード４を備えた照明装置３を設け、上記麻雀卓１上に配列された牌７を当該照明装置３の白色発光ダイオード４により照明することを特徴とする麻雀台である。【選択図】      図１
2006167037.tif 000002
【特許請求の範囲】
【請求項１】
麻雀卓と当該麻雀卓の四周縁上に配設された卓枠体とを有する麻雀台であって、
上記卓枠体の内部に、発光手段を備えた照明装置を設け、上記麻雀卓上に配列された牌を当該照明装置の発光手段により照明することを特徴とする麻雀台。
【請求項２】
麻雀卓と当該麻雀卓の四周縁上に配設された卓枠体とを有する麻雀台であって、
上記卓枠体の上記麻雀卓に対向する平面に配設された保護板と、上記卓枠体の内部に格納され上記保護板を介して上記麻雀卓上に配列された牌を照明するために発光する発光手段と、を少なくとも有する照明装置を具備することを特徴とする麻雀台。
【請求項３】
麻雀卓と当該麻雀卓の四周縁上に配設された卓枠体とを有する麻雀台であって、
上記麻雀卓の内部に、発光手段を備えた照明装置を設け、上記麻雀卓上に配列された牌を当該照明装置の発光手段により照明することを特徴とする麻雀台。
【請求項４】
麻雀卓と当該麻雀卓の四周縁上に配設された卓枠体とを有する麻雀台であって、
上記麻雀卓に平面の一部に配設された保護板と、上記麻雀卓の内部に格納され上記保護板を介して上記麻雀卓上に配列された牌を照明するために発光する発光手段と、を少なくとも有する照明装置を具備することを特徴とする麻雀台。
【発明の詳細な説明】
【技術分野】
【０００１】
本発明は、照明装置を備えた麻雀台に関する。
【背景技術】
【０００２】
従来、麻雀は、屋内の天井照明の下で長時間に亘り繰り広げられるゲームであることから、遊技者の眼球疲労が激しく、この問題を解決することが嘱望されている。
【０００３】
一方、今日では、例えば白色発光ダイオードの技術開発が進められており、各種製品に安価且つ低消費電力の光源として適用されている。
【発明の開示】
【発明が解決しようとする課題】
【０００４】
しかしながら、麻雀台に例えば白色発光ダイオードを備えた照明装置を内蔵或いは付属して当該照明装置により配列された牌群を照明するような技術は従来存在しなかった。
【０００５】
本発明の目的とするところは、配列された牌群を照明することで遊技者の眼球疲労を軽減する照明装置を備えた麻雀台を提供することにある。
【課題を解決するための手段】
【０００６】
上記目的を達成するために、本発明の第１の態様では、麻雀卓と当該麻雀卓の四周縁上に配設された卓枠体とを有する麻雀台であって、上記卓枠体の内部に、発光手段を備えた照明装置を設け、上記麻雀卓上に配列された牌を当該照明装置の発光手段により照明することを特徴とする麻雀台が提供される。
【０００７】
そして、本発明の第２の態様では、麻雀卓と当該麻雀卓の四周縁上に配設された卓枠体とを有する麻雀台であって、上記卓枠体の上記麻雀卓に対向する平面に配設された保護板と、上記卓枠体の内部に格納され上記保護板を介して上記麻雀卓上に配列された牌を照明するために発光する発光部と、を少なくとも有する照明装置を具備することを特徴とする麻雀台が提供される。
【０００８】
さらに、本発明の第３の態様では、麻雀卓と当該麻雀卓の四周縁上に配設された卓枠体とを有する麻雀台であって、上記麻雀卓の内部に、発光手段を備えた照明装置を設け、上記麻雀卓上に配列された牌を当該照明装置の発光手段により照明することを特徴とする麻雀台が提供される。
【０００９】
また、本発明の第４の態様では、麻雀卓と当該麻雀卓の四周縁上に配設された卓枠体とを有する麻雀台であって、上記麻雀卓に平面の一部に配設された保護板と、上記麻雀卓の内部に格納され上記保護板を介して上記麻雀卓上に配列された牌を照明するために発光する発光部と、を少なくとも有する照明装置を具備することを特徴とする麻雀台が提供される。
【発明の効果】
【００１０】
本発明によれば、配列された牌群を照明することで遊技者の眼球疲労を軽減する照明装置を備えた麻雀台を提供することができる。
【発明を実施するための最良の形態】
【００１１】
以下、図面を参照して、本発明の実施の形態について説明する。
【００１２】
先ず、本発明の第１の実施の形態について説明する。
【００１３】
図１は本発明の第１の実施の形態に係る麻雀台の一部断面図であり、図２は当該麻雀台の斜視図であり、図３は当該麻雀台を上部から見た平面図、図４は当該麻雀台を下部から見た平面図である。尚、図１は図２の断面ＡＡにおける断面図に相当する。
【００１４】
これらの図に示されるように、麻雀卓１の四周縁上には額縁状に卓枠体２が固着されている。但し、この卓枠体２は麻雀卓１に対して着脱自在としてもよい。そして、この卓枠体２の中には照明装置３が配設されている。即ち、この照明装置３は、発光手段としての白色発光ダイオード４と、当該白色発光ダイオード４から電源８の正負の各端子まで延出された配線５ａ，５ｂと、卓枠体２の内側の平面の一部に置換され白色発光ダイオード４からの光を集光する役割を担う保護板６とを有している。ここでは、発光手段として白色発光ダイオード４を例に挙げて説明するが、これには限定されない。
【００１５】
より詳細には、保護板６は、卓枠体２の麻雀卓１に対向する平面の一部を構成するものである。換言すれば、卓枠体２の麻雀卓１の牌７の配列位置に対向する側の平面に設けられた開口部に設けられ、当該平面の一部をなすものである。この保護板６の照明装置３内面側の平面には、白色発光ダイオード４からの光を牌７に向けて集光するように、所定角度を有した複数の射光面（溝部）が形成されている。この保護板６の射光面により、図１に示されるように、牌７を照射するのに好適な照射角αでの発光が実現される。このとき白色発光ダイオード４からの光が対向する遊技者の視覚に入らないように、上記斜光面の角度が設計されている。これについては、後に詳述する。照明装置３による発光は、図４に示されるような卓枠体２の各辺等に設けられたスイッチ９ａ乃至９ｄを遊技者が操作する事により、そのオン／オフの切換えができるようになっている。
【００１６】
尚、上記斜光面を設けるほか、卓枠体２の麻雀卓１に対向する側の平面に斜光面と同様の所定角度をもたせることで、上記同様の効果を得るようにしてもよい。
【００１７】
ここで、この実施の形態に係る麻雀台の各部の寸法の一例を説明する。
【００１８】
即ち、図１に示されるように、卓枠体２の幅ｄ１は２５ｍｍ、卓枠体２の高さｄ２は３０ｍｍ、照明装置２の幅ｄ３、高さｄ４は５〜１０ｍｍである。保護板６から距離ｄ５（＝５０〜１５０ｍｍ）のところに牌７が配列される場合、照射角度（＝保護板６の斜光面の斜光角度）は約９°になる。図２に示されるように、照明装置６の長手方向の幅ｄ７は８０〜１５０ｍｍ、当該照明装置６の配設されていない卓枠体２の周縁の幅ｄ６，ｄ８は照明装置６の配設部分の端から左右に各２２０ｍｍとなっている。麻雀卓１の卓枠体２配設後の縦幅ｄ９及び横幅ｄ１０（図３参照）は、共に１６８０ｍｍ程度である。但し、これら数値には限定されないことは勿論である。
【００１９】
以上説明したように、本発明の第１の実施の形態は、麻雀卓１と当該麻雀卓１の四周縁上に額縁状に固着された卓枠体２とを有する麻雀台であって、上記卓枠体２の内部に、白色発光ダイオード４等の発光手段を備えた照明装置３を設け、上記麻雀卓１上に配列された牌７を当該照明装置３の発光手段により照明することを特徴とする麻雀台である。
【００２０】
即ち、より詳細には、上記卓枠体２の上記麻雀卓１に対向する平面に配設された保護板６と、上記卓枠体２の内部に格納され上記保護板６を介して上記麻雀卓１上に配列された牌７を照明するために発光する発光手段としての白色発光ダイオード４と、を少なくとも有する照明装置３を具備することを特徴とする麻雀台である。この白色発光ダイオード４は、その発光がスイッチ９ａ乃至９ｄによりオン／オフ制御できるようになっている。
【００２１】
以上の構成によれば、スイッチ９ａ乃至９ｄを適宜操作することにより照明装置３内の白色発光ダイオード４の発光をオン／オフ制御することができ、当該照明装置３の発光により牌７を照らすことが可能となるので、遊技者の眼球疲労を軽減することができる。また、別の観点からすれば、天井照明のないような暗い環境においても、内蔵或いは付属の照明装置３による所謂スポット照明の下、高級感のある演出がなされることになる。
【００２２】
次に本発明の第２の実施の形態について説明する。
【００２３】
前述した第１の実施の形態では照明装置３を卓枠体２の中に配設していたが、この第２の実施の形態では麻雀卓１の中に配設している。以下に詳述する。
【００２４】
図５は本発明の第２の実施の形態に係る麻雀台の構成を示す一部断面図であり、図６は当該麻雀台を上から見た様子を示す平面図である。図５は、図６の断面ＢＢでの断面図に相当する。これらの図に示されるように、麻雀卓１１の内部には図示の如き照明装置１２が内蔵されている。この照明装置１２は、発光手段としての複数の白色発光ダイオード１４が２次元にアレイ上に配列された発光部１３と、当該白色発光ダイオード１４から発光された光の照射角度を規定する斜光板１６、照明装置１２の平面を保護する保護板１５からなる。この照明装置１２は、図６に示されるように卓枠体１７の長手方向に平行となるように、且つ当該卓枠体１７の端から所定距離隔てて４箇所に配設されている。
【００２５】
尚、発光手段は上記白色発光ダイオード１４には限定されない。
【００２６】
また、一般に麻雀卓１１の平面はフェルト部材等で覆われているが、この保護板１５も例えばポリエチレン、ポリプロピレン、エチレン等といった所謂クリアフィルに用いられるような滑り過ぎない透明性の材料で生成されているので、上記フェルト材と同様に牌７の移動を自在且つ滑り過ぎないように維持する役割をも担うものである。
【００２７】
そして、この照明装置１２は、図６に示されるように、例えば縦２５ｍｍ、横２４０ｍｍであり、卓枠体の端から３０〜１００ｍｍ程度の箇所に配設される。但し、この寸法はあくまでも一例であり、これに限定されないことは勿論である。即ち、牌７を配列する位置の手前に、当該牌７を照明するのに十分な光量となる白色発光ダイオードアレイが収まる領域が確保されれば、上記寸法には限定されないことは勿論である。
【００２８】
以上説明したように、本発明の第２の実施の形態は、麻雀卓１１と当該麻雀卓１１の四周縁上に固着された卓枠体１７とを有する麻雀台であって、上記麻雀卓１１の内部に、白色発光ダイオード１４等を複数アレイ状に配列した発光部１３と当該発光部１３からの光を牌７の方向に斜光する斜光板１６、麻雀卓１１の上部平面と平行で凹凸がなく牌７を滑り過ぎないように維持する保護板１５を備えた照明装置１２を設け、上記麻雀卓１１上に配列された牌７を当該照明装置１２により照明することを特徴とする麻雀台である。
【００２９】
以上の構成によれば、照明装置１２の発光部１３の発光により配列された牌７を照らすことが可能となるので、遊技者の眼球疲労を軽減することができる。また、別の観点からは、天井照明のないような暗い環境においても、麻雀台に内蔵或いは付属されている照明装置３による所謂スポット照明の下、高級感のある演出がなされることになる。また、前述した第１の実施の形態に係る麻雀台での配置に比べて牌７に近接した位置に照明装置１２を配設して当該近接位置から照明光を発光することができるので、より省電力且つ少量発光で十分な明るさを確保することができる。  
次に本発明の第３の実施の形態について説明する。
【００３０】
これは、第２の実施の形態の変形例に相当するものである。即ち、第２の実施の形態に係る麻雀台では、白色発光ダイオード１４を２次元アレイ状に配列した発光部１３を用いていたが、この第２の実施の形態に係る麻雀台では、牌群を構成する各牌に１つの白色発光ダイオードを一列に並べた発光部を採用している。以下、詳述する。
【００３１】
図７は本発明の第３の実施の形態に係る麻雀台の一部断面図であり、図８は当該麻雀台の斜視図であり、図９（ａ），（ｂ）は白色発光ダイオードを収納するためのプラスチックケースの一例を示す図である。尚、図７は、図８の断面ＣＣでの断面図に相当する。
【００３２】
これらの図に示されるように、麻雀卓２１には、図示のように発光手段としての白色発光ダイオード２４が格納された発光部２３を有する照明装置２２が配設されている。
【００３３】
即ち、麻雀卓２１に所定の開口部を設けた後、図９（ａ）に示すようなプラスチックケース２６に白色発光ダイオード２４を格納し、当該格納後のプラスチックケース２６（発光部２３に相当）を上記開口部に卓枠体の縁に平行となるように複数一列に配列する。
【００３４】
或いは、図９（ｂ）に示すようなプラスチック２７に白色発光ダイオード２４を複数格納し、当該格納後のプラスチックケース２７（発光部２３に相当）を上記開口部に設置する。そして、その上面に集光機能を有する保護板２５を配設する。
【００３５】
この保護板２５の平面は、麻雀卓２１の平面に比して凹凸のない、同じ高さとなっている。また、一般に麻雀卓２１の平面はフェルト部材等で覆われているが、この保護板２５もポリエチレン、ポリプロピレン、エチレン等といった所謂クリアフィルに用いられるような滑り過ぎない透明性の材料で生成されているので、上記フェルト材と同様に牌７の移動を自在且つ滑り過ぎないように維持する役割をも担う。
【００３６】
実際の使用態様では、例えば図８に示されるように、この照明装置２２の配設位置の近傍に、或いは保護板２５の領域の一部に載せて手牌が配列され、当該照明装置２２内部の白色発光ダイオード２４により各牌７が照明されることになる。
【００３７】
以上説明したように、本発明の第３の実施の形態は、麻雀卓２１と当該麻雀卓２１の四周縁上に固着された卓枠体とを有する麻雀台であって、上記麻雀卓２１の内部に、白色発光ダイオード２４等の発光手段を一列に配列した発光部２３と、麻雀卓２１の上部平面と平行で凹凸がなく牌７を滑り過ぎないように維持する保護板２５を備えた照明装置２２を設け、上記麻雀卓２１上に配列された牌７を当該照明装置２２により照明することを特徴とする麻雀台である。上記一列に白色発光ダイオード２４を配列するにあたっては、前述したようなプラスチックケース２６，２７等が用いられる。  
以上の構成によれば、当該照明装置２２の発光により牌７を照らすことが可能となるので、遊技者の眼球疲労を軽減することができる。また、別の観点からすれば、天井照明のないような暗い環境においても、内蔵或いは付属の照明装置２２による所謂スポット照明の下、高級感のある演出がなされる。特に、各牌７に対して１つの白色発光ダイオード２４で照明するので、前述した第２の実施の形態以上に省電力化が図られることになる。また、照明装置２３自体の小型化、低コスト化を図ることができる。
【００３８】
以上、本発明の第１乃至第３の実施の形態について説明したが、本発明はこれに限定される事なくその趣旨を逸脱しない範囲で種々の改良・変更が可能である。例えば、図１０に示されるような三角推形状のダイオードをアレイ状に配列すれば、投光効率を更に向上させることができる。また、前述した実施の形態では、白色発光ダイオードを採用しているが、これに限定されず、種々の光源を用いることができる。更に、調光操作スイッチを設けて、遊技者の所望とする光量に調整するようにしてもい。
【図面の簡単な説明】
【００３９】
【図１】本発明の第１の実施の形態に係る麻雀台の一部断面図である。
【図２】本発明の第１の実施の形態に係る麻雀台の斜視図である。
【図３】本発明の第１の実施の形態に係る麻雀台の上部から見た平面図である。
【図４】本発明の第１の実施の形態に係る麻雀台の下部から見た平面図である。
【図５】本発明の第２の実施の形態に係る麻雀台の一部断面図である。
【図６】本発明の第２の実施の形態に係る麻雀台の上部から見た平面図である。
【図７】本発明の第３の実施の形態に係る麻雀台の一部断面図である。
【図８】本発明の第３の実施の形態に係る麻雀台の斜視図である。
【図９】（ａ）は白色発光ダイオード２４を１つ収納するプラスチックケース２６の構成図であり、（ｂ）は複数収納するプラスチックケース２７の構成図である。
【図１０】三角形状の白色発光ダイオードの構成例である。
【符号の説明】
【００４０】
１・・・麻雀卓、２・・・卓枠体、３・・・照明装置、４・・・白色発光ダイオード、５ａ，５ｂ・・・配線、６・・・保護板、７・・・牌、８・・・電源、９ａ〜９ｄ・・・スイッチ、１１・・・麻雀卓、１２・・・照明装置、１３・・・発光部、１４・・・白色発光ダイオード、１５・・・保護板、１６・・・斜光板、２１・・・麻雀卓、２２・・・照明装置、２３・・・プラスチックケース、２４・・・白色発光ダイオード、２５・・・保護板、２６・・・プラスチックケース、２７・・・プラスチックケース。
【図１】
2006167037.tif 000003
【図２】
2006167037.tif 000004
【図３】
2006167037.tif 000005
【図４】
2006167037.tif 000006
【図５】
2006167037.tif 000007
【図６】
2006167037.tif 000008
【図７】
2006167037.tif 000009
【図８】
2006167037.tif 000010
【図９】
2006167037.tif 000011
【図１０】
2006167037.tif 000012